(57)【特許請求の範囲】
【請求項１】
映像光を発する映像源と、前記映像源より観察者側に配置される視野角制御シートと、を有する表示装置であって、
前記視野角制御シートは、
遮光部と非遮光部とを具備する視野角制御部を備え、
前記遮光部は、前記視野角制御部の受光面から観察者方向に形成されるとともに、前記受光面方向に互いに離隔して複数配置されてなり、
前記各遮光部には前記受光面から観察者方向に略等しい距離に光吸収層が形成され、この光吸収層が前記各遮光部に複数備えられ、
前記遮光部は、前記受光面から観察者側に次第に細くなる楔形状をなすとともに、前記光吸収層と、前記光吸収層間に配置される透明部とを備え、
前記透明部を構成する材料の屈折率をＮｘ、非遮光部を構成する材料の屈折率をＮｙ、Ｎｘ／Ｎｙ＝Δｎ、及び前記楔形状の斜面部分が出光面の法線となす角度をθとするとき、
Ｎｘ≦Ｎｙ、及び
−０．０１＜Δｎ−ｃｏｓθ＜０．００２
なる関係が成立することを特徴とする表示装置。
【請求項２】
前記視野角制御シートの前記受光面に最も近い光吸収層の合計面積をＲ、受光面全体の面積をＳとしたとき、
０．１＜Ｒ／Ｓ＜０．４
なる関係が成立することを特徴とする請求項１に記載の表示装置。
【請求項３】
前記視野角制御シートの前記各遮光部において、前記受光面に最も近い光吸収層の幅をＷ、前記受光面に最も近い光吸収層から前記遮光部の最も観察者に近い部位までの長さをＤとするとき、
Ｗ≦Ｄ≦１５Ｗ
なる関係が成立することを特徴とする請求項１に記載の表示装置。
【請求項４】
前記視野角制御シートの前記各遮光部において、互いに隣接する光吸収層のうち、前記受光面側の光吸収層の幅をＷｉ、前記観察者側の光吸収層の幅をＷｉ＋１、両光吸収層の間隔をｄｉとするとき、
ｔａｎ−１（２ｄｉ／（Ｗｉ＋Ｗｉ＋１））＞ｓｉｎ−１（Ｎｙ／Ｎｘ）−θ
なる関係が成立することを特徴とする請求項１〜３のいずれか１項に記載の表示装置。
【請求項５】
前記視野角制御シートの前記遮光部は、感光性粘着層のパターニングと、光吸収層の転写を繰り返すことにより形成されていることを特徴とする請求項１〜４のいずれか１項に記載の表示装置。
【請求項６】
前記パターニングにレンチキュラーレンズが使用されていることを特徴とする請求項５に記載の表示装置。
【請求項７】
請求項１〜６のいずれか１項に記載の視野角制御シートが映像源の観察者側に１枚、又は略直交して２枚積層されていることを特徴とする表示装置。
【請求項８】
前記視野角制御シートの少なくとも一面側に、ＡＲ、ＡＳ、ＡＧ、タッチセンサーのうちのいずれか、又はこれらの内複数の付加機能が付与されていることを特徴とする請求項１〜７のいずれか１項に記載の表示装置。
【発明の詳細な説明】
【技術分野】
【０００１】
本発明は、ディスプレイの前面に設置し、ディスプレイの性能、特に、ディスプレイに外光が当たった時のコントラスト低下等による性能の低下を防止する機能や、ディスプレイの有効光を好適に拡散させて視野角を任意の範囲に制御する機能等を有する視野角制御用シートを用いた表示装置に関するものである。なお、本発明において「シート」とは、当業者が通常「フィルム」と観念するものをも含む概念であるものとする。
【背景技術】
【０００２】
有機発光ダイオード・ディスプレイ（以下、ＯＬＥＤと記す。）や液晶ディスプレイ（以下、ＬＣＤと記す。）等では、通常、観察者がどのような位置から見ても良好な画像が得られるように、視野角が広いことが好まれる。
一方、例えば通勤電車の中で仕事をする場合等、周りの人から画面を覗かれては困ることがあり、このような場合にはディスプレイの観察者のみに見え、他人からは見えないような視野角の制御が望まれる。このような要求に対して、例えば図１１に示すようなルーバータイプの視野角制御シートが開発され、使用されている。ルーバータイプの視野角制御シートは、外光を遮光してコントラストを上げる効果を示し、例えば、ルーバーにおける二重像（ゴーストと称する。）の発生を減少させた視野角制御シートが開示されている（特許文献１〜特許文献３参照。）。特許文献１の第５図には、ゴーストの説明図が記載されている。
【特許文献１】特公昭５８−４７６８１号公報
【特許文献２】特表平６−５０４６２７号公報
【特許文献３】特開平９−３１１２０６号公報
【発明の開示】
【発明が解決しようとする課題】
【０００３】
しかし、特許文献１〜特許文献３に記載されたルーバータイプの従来の視野角制御シートは、斜め方向の映像光を単純にカットしており、高精細ＬＣＤ等のディスプレイにおいては、観察者側に到達させるべき映像側の拡散光源の拡散光を減少させてしまい、画面の輝度が低下するという問題があった。
【０００４】
そこで、本発明は、外光による画像のコントラスト低下を抑制し、ゴーストの発生を抑えて、コントラストを向上するとともに、映像源からの拡散光を有効に利用して画面の輝度の低下を抑制し、視野角を任意の範囲に制御する機能を有する視野角制御シートを備える表示装置を提供することを課題とする。
【課題を解決するための手段】
【０００５】
以下、本発明について説明する。なお、本発明の理解を容易にするために添付図面の参照符号を括弧書きにて付記するが、それにより本発明が図示の形態に限定されるものではない。
【０００６】
請求項１に記載の発明は、映像光を発する映像源と、映像源より観察者側に配置される視野角制御シートと、を有する表示装置であって、視野角制御シート（１０）は、遮光部（１５）と非遮光部（１４）とを具備する視野角制御部（１２）を備え、遮光部は視野角制御部の受光面から観察者方向に形成されるとともに、受光面方向に互いに離隔して複数配置されてなり、各遮光部には受光面から観察者方向に略等しい距離に光吸収層（２１、２２、…）が形成され、この光吸収層が各遮光部に複数備えられ、遮光部は、受光面から観察者側に次第に細くなる楔形状をなすとともに、光吸収層と、光吸収層間に配置される透明部とを備え、透明部を構成する材料の屈折率をＮｘ、非遮光部を構成する材料の屈折率をＮｙ、Ｎｘ／Ｎｙ＝Δｎ、及び楔形状の斜面部分が出光面の法線となす角度をθとするとき、
Ｎｘ≦Ｎｙ、及び
−０．０１＜Δｎ−ｃｏｓθ＜０．００２
なる関係が成立することを特徴とする表示装置により前記課題を解決しようとするものである。なお、上記したように本発明における「シート」は、当業者が「フィルム」と観念するものをも含むものとする。以下において同様である。
【０００７】
請求項２に記載の発明は、請求項１に記載の表示装置において、視野角制御シート（１０）の受光面に最も近い光吸収層（２１、２２、…）の合計面積をＲ、受光面全体の面積をＳとしたとき、
０．１＜Ｒ／Ｓ＜０．４
なる関係が成立することを特徴とする。
【００１１】
請求項３に記載の発明は、請求項１記載の表示装置において、視野角制御シート（１０）の各遮光部（１５）において受光面に最も近い光吸収層（２１）の幅をＷ、受光面に最も近い光吸収層から遮光部の最も観察者に近い部位までの長さをＤとするとき、
Ｗ≦Ｄ≦１５Ｗ
なる関係が成立することを特徴とする。
【００１２】
請求項４に記載の発明は、請求項１〜３のいずれかに記載の表示装置において、視野角制御シート（１０）の各遮光部（１５）において互いに隣接する光吸収層のうち、受光面側の光吸収層の幅をＷｉ、観察者側の光吸収層の幅をＷｉ＋１、両光吸収層の間隔をｄｉ
とするとき、
ｔａｎ−１（２ｄｉ／（Ｗｉ＋Ｗｉ＋１））＞ｓｉｎ−１（Ｎｙ／Ｎｘ）−θ
なる関係が成立することを特徴とする。
【００１３】
請求項５に記載の発明は、請求項１〜４のいずれか１項に記載の表示装置において、視野角制御シート（１０）の遮光部（１５）は感光性粘着層のパターニングと、光吸収層（２１、２２、…）の転写を繰り返すことにより形成されていることを特徴とする。
【００１４】
請求項６に記載の発明は、請求項５に記載の表示装置において、視野角制御シート（１０）のパターニングにレンチキュラーレンズ（８１）が使用されていることを特徴とする。
【００１５】
請求項７に記載の発明は、請求項１〜６のいずれか１項に記載の表示装置において、視野角制御シート（１０）が映像源の観察者側に１枚、又は略直交して２枚積層されていることを特徴とする。
【００１６】
請求項８に記載の発明は、請求項１〜７のいずれか１項に記載の表示装置において、視野角制御シートの少なくとも一面側に、ＡＲ、ＡＳ、ＡＧ、タッチセンサーのうちのいずれか、又はこれらの内複数の付加機能が付与されていることを特徴とする。
【発明の効果】
【００１８】
本発明によれば、遮光部が所定の間隔で配列されるとともに、各遮光部の内部には間隔をもって受光面に平行な光吸収層が複数形成されている。そして好ましくは、断面形状が楔形の遮光部のまわりの非遮光部を構成する物質の屈折率は、遮光部を構成する物質の屈折率よりも高くなるように形成されている。かかる構成により、本発明の表示装置によれば、外光による画像のコントラスト低下を抑制し、ゴーストの発生を抑えることができる。また本発明の表示装置によれば、映像源からの拡散光を有効に利用して画面の輝度の低下を抑制し、視野角を所定の範囲に制御した視野角制御シートを備える表示装置を得ることができる。
【００１９】
本発明のこのような作用及び利得は、次に説明する発明を実施するための最良の形態から明らかにされる。
【発明を実施するための最良の形態】
【００２０】
以下本発明を図面に示す実施形態に基づき説明する。
【００２１】
図１は、本発明の表示装置のうち、視野角制御シートの、受光面に直交する一平面による断面を示す図である。図１においては、図面上側に映像光源が配置されて拡散光が出射され、図面の下側に観察者が位置している。図示の視野角制御シート１０は、映像源側から観察者方向に順に、映像源側ベースシート１１、視野角制御部１２、観察者側ベースシート１３が貼り合わされて形成されている。視野角制御部１２は、非遮光部１４と、所定の間隔を以って配置された複数の遮光部１５、１５、１５…とを備えている。各遮光部１５は、視野角制御部１２の受光面に幅広部を配し、観察者方向に次第に幅狭となる楔形状をなしている。視野角制御部１２の映像源側の面、すなわち受光面は、遮光部１５の楔形の底面部と、非遮光部１４とが交互に配置されている。受光面における上記底面部の合計面積をＲ、受光面全体の面積をＳとすると、遮光部の開口率（Ｒ／Ｓ）に関し以下の関係式が成り立つことが好ましい。
０．１＜Ｒ／Ｓ＜０．４
開口率をかかる範囲に限定することによって、視野角を制御しつつ、コントラスト、輝度の低下を抑制することが可能である。
【００２２】
映像源側ベースシート１１、及び観察者側ベースシート１３は、非遮光部１４と略同一の屈折率を有する材料にて構成されている。観察者側ベースシート１３の外側面には、観察者側にＡＲ、ＡＳ、ＡＧ、タッチセンサーうち、少なくとも一の機能を備えている。ここに「ＡＲ」とはアンチリフレクションの略で、レンズ表面に入光する光の反射率を抑える機能をいう。また、「ＡＳ」とはアンチスタティックの略で、帯電防止の機能をいう。また「ＡＧ」とはアンチグレアの略で、レンズの防眩性機能をいう。本実施形態にかかる視野角制御シート１０においてはこれらの機能の内一つだけを持たせてもよく、また複数の機能を併せ持たせてもよい。
【００２３】
図２は、視野角制御シート１０による光の透過、遮断を示す図である。なお、本図では、映像源側ベースシート１１、及び観察者側ベースシート１３の表示が省略されており、視野角制御部１２のみ表されている。図示の視野角制御部１２は互いに隣接する二つの遮光部１５、１５が、非遮光部１４の上部にあたかも埋め込まれたように配置されている。非遮光部１４は屈折率がＮｙの物質で形成されている。一方、遮光部１５は、後述する光吸収層２１、２２、…の間に透明部１６、１６、…が配置されている。透明部１６は、屈折率がＮｘの物質で満たされている。ここに
Ｎｘ≦Ｎｙ
であることが好ましい。屈折率Ｎｙと、屈折率Ｎｘとの比は、視野角制御シート１０の光学特性を得るために所定の範囲に設定されている。また、遮光部１５と非遮光部１４とが接する斜面が、受光面の法線Ｈ（当該視野角制御シート１０に対する垂直入射光に平行な線）となす角度は所定の角度θに形成されている。
【００２４】
各遮光部１５において、楔形の先端方向に向けて、受光面に平行に複数の光吸収層２１、２２、…が形成されている。該光吸収層２１、２２、…は、例えば、カーボンフィルム等により形成され、その一面側から他の面側に透過しようとする光を完全に遮断する。
【００２５】
かかる構成を有する視野角制御シート１０の視野角制御部１２内に入光した光の光路について、図２を参照しつつ簡単に説明する。なお、図２において、光Ｌ１、Ｌ２、Ｌ３及びＬ４の光路は模式的に示されたものである。いま、映像源側から視野角制御部１２の中央部付近に入射した垂直光Ｌ１は、そのまま視野角制御シート１０の内部を直進して通過し、観察者に至る。映像源側から所定の角度をもって視野角制御部１２に入射した入射光Ｌ２は、屈折率Ｎｙの非遮光部１４と屈折率Ｎｘの遮光部１５（透明部１６）との屈折率差により斜面にて全反射され、観察者側に垂直光として出光される。映像源側から視野角制御部１２にさらに大きな角度をもって入射した光Ｌ３は、斜面にて全反射され、入射時とは反対方向の小さな角度をもって、垂直光に近い角度となって観察者側に出光される。観察者側から斜面に所定以下の小さな角度をもって入射する外光Ｌ４は、遮光部１５と非遮光部１４との屈折率差によっても全反射されることなく遮光部１５の内部に入光する。遮光部１５の内部には受光面に平行に形成された複数の光吸収層２１、２２、…が配置されているので、外光Ｌ４は遮光部１５内で光吸収層２１、２２、…により吸収される。したがって観察者側からの視野による画像のコントラストが向上する。このようにして断面方向に視野角を制御することが可能で、かつ、輝度の低下を抑制することができ、コントラストの高い視野角制御シート１０を得ることができる。
【００２６】
図３は、視野角制御シート１０の、遮光部１５をさらに拡大して示す図である。いま、各遮光部１５の開口部（楔形状の受光面側底辺）幅をＷ、遮光部１５の、映像光源側から観察者側に至る方向の垂直方向長さをＤとするとき、これらＷとＤとの間に、
Ｗ≦Ｄ≦１５Ｗ
なる関係が成立することが好ましい。両者の関係をかかる範囲内に限定することにより、上記θを３°以上２６°以下にして、視野角制御シート１０に、視野角を約６°〜約７０°の範囲で設定でき、外光に対してのコントラストも大幅に向上するという特性を与えることができる。
【００２７】
図４は、遮光部１５における、隣接する２つの光吸収層を拡大して示す図である。ここでは、隣接する二つの光吸収層２２と、光吸収層２３とを例にとり説明する。光吸収層２２、２３のうち、受光面側の光吸収層２２の幅をＷｉ、観察者側の光吸収層２３の幅をＷｉ＋１、両光吸収層２２、２３の間隔をｄｉとする。このとき、遮光部１５の斜面に略平行な光であって、かつ光吸収層２２の一端側の点Ａと、光吸収層２３のＡから遠い一端側の点Ｂとを通過する光Ｌ５について考察する。遮光部１５の斜辺上の一点をＺ、点Ａを通り該斜辺と直交する線分をＸＹ、光吸収層２２の点Ａとは反対側の端点をＣとする。また、光吸収層２２、２３に直交し、点Ｂを通る線分が、線分ＡＣと交わる点をＤとする。斜辺の傾きを上記の通りθ（これ以下において角度はいずれもラジアンとする。）とすると、∠ＹＡＣもθである。
【００２８】
今、
∠ＣＡＢ＝α
とすると、点Ａにおいて、スネルの法則により、
Ｎｙｓｉｎ（π／２）＝Ｎｘｓｉｎ(θ＋α)
すなわち、
α＝ｓｉｎ−１（Ｎｙ／Ｎｘ）−θ
一方、△ＡＢＤにおいて、
ｔａｎα＝２ｄｉ／（Ｗｉ＋Ｗｉ＋１）
よって、
α＝ｔａｎ−１（２ｄｉ／（Ｗｉ＋Ｗｉ＋１））
すなわち、
ｔａｎ−１（２ｄｉ／（Ｗｉ＋Ｗｉ＋１））＞ｓｉｎ−１（Ｎｙ／Ｎｘ）−θ
なる関係が成立するように、既定のＮｙ、Ｎｘ、θに対して、ｄｉ、Ｗｉ、Ｗｉ＋１の長さを定めることにより、遮光部１５の斜面に平行な光、あるいはそれに近い光が遮光部１５を斜めに横切って横方向に透過することを防止することができる。
【００２９】
図５は、視野角制御シート１０の遮光部１５の斜面で反射した光が、観察者側に到達する状態を例示する断面模式図であり、比較のため、３つの場合（図５（ａ）〜（ｃ））を１つの図に表している。なお、図５においては、映像源側が紙面左側、観察者側が紙面右側に示されている。
遮光部の斜面部分が受光面の法線となす角度をθとし、遮光部を構成する材料の屈折率Ｎｘと非遮光部の屈折率Ｎｙとの比をΔｎ（Δｎ＝Ｎｘ／Ｎｙ）としたとき、図５（ａ）は、Δｎが小さい値をとる場合であり、図のＧ１の範囲で全反射する。図５（ｂ）は、Δｎ−ｃｏｓθ＝０となる場合で、全反射した光が正面に到達する境界であり、図のＧ２の範囲で全反射する。図５（ｃ）は、Δｎが大きい値をとる場合であり、反射光が正面まで行かず、図のＧ３の範囲で全反射する。本発明においては、実用上の特性を加味した上で、
−０．０１＜Δｎ−ｃｏｓθ＜０．００２
なる関係式を満たすことを好ましい範囲としている。（Δｎ−ｃｏｓθ）の値が−０．０１以下だと、全反射する光線が多くなり広い角度で全反射光が観察される。そのため、特に、斜め方向から全反射光が観察された場合には、ゴースト画像と実映像との距離が大きくなる。このため、ゴースト画像が非常に目立ってしまい、映像画質を低下させるからである。一方、（Δｎ−ｃｏｓθ）の値が０．００２以上だと、全反射する光線が少なく、有効映像光が観察者に届きにくくなるため、輝度の上昇効果が十分に得られない。
なお、本発明は、遮光部の断面形状は、以上に説明した三角形であるほか、略台形の場合のいずれでも適用し得るものである。
【００３０】
図６は、視野角制御シートを作成する方法の一例を示す図である。図６は、視野角制御シートを作成する方法の一例を（ａ）〜（ｅ）の順に表している。図６（ａ）において、感光性粘着層６１の上に、露光パターン６２が配置されており、紙面上部から弱拡散光６０が照射されている。露光パターン６２を介して弱拡散光６０を照射された感光性粘着層６１のうち、光の照射を受けた部分は感光して、非粘着部６１ｂ、６１ｂ、…となる。一方、感光性粘着層６１の弱拡散光６０の照射を受けなかった部分は、そのまま粘着部６１ａ、６１ａ、…として残る。そして弱拡散光６０は、紙面下方向に拡散してゆくので、図６（ｂ）に示されるように、非粘着部６１ｂは紙面下方向に広がる形状となり、これとは逆に粘着部６１ａは紙面下方向に次第に幅狭の形状になる。
【００３１】
次いで、図６（ｃ）に表されているように、粘着部６１ａ、６１ａ、…、及び非粘着部６１ｂ、６１、…の下面側に遮光シート６３を配置し、粘着部６１ａ、６１ａ、…、及び非粘着部６１ｂ、６１ｂ、…の下面と、遮光シート６３の上面とを圧着する。そして、圧着させた遮光シート６３を端部から剥離する（図６（ｄ））。そうすると、粘着部６１ａ底面は粘着性を有しているので、遮光シート６３が貼り付いて残る一方、非粘着部６１ｂは感光により粘着性を失っているので、遮光シート６３はきれいに剥離され、底面側に残らない。非粘着部６１ｂの屈折率は感光により、粘着部６１ａの屈折率よりわずかに大となる。粘着部６１ａは、本発明の視野角制御シートの遮光部１５のうちの透明部１６となる。粘着部６１ａの下面に接着された遮光シート６３ａ、６３ａ、…は、本発明の視野角制御シートの遮光部１５のうちの光吸収層２１、２２、２３、…のいずれかとなる。かくして、遮光部１５と非遮光部１４とが面方向に交互に配置された視野角制御シートの第一層６５が作成される（図６（ｅ））。
【００３２】
図７は、図６の作成方法の次工程を示す図である。ここでは、図７（ｆ）に示すように、上記に説明した第一層６５のさらに下面側に再び感光性粘着層７１を配置する。第一層６５上の、露光パターン６２が同様に配置されており、紙面上部から弱拡散光６０が再び照射される。露光パターン６２を介して弱拡散光６０を照射された感光性粘着層７１のうち、光の照射を受けた部分は感光して、非粘着部７１ｂ、７１ｂ、…となる。一方、感光性粘着層７１のうち弱拡散光６０の照射を受けなかった部分は、そのまま粘着部７１ａ、７１ａ、…として残る。そして弱拡散光６０は、紙面下方向に拡散してゆくので、図７（ｇ）に示されるように、非粘着部７１ｂは、非粘着部６１ｂと同様にかつ、さらにその延長上に紙面下方向に広がる形状となる。これとは逆に粘着部７１ａは、粘着部６１ａの延長上に、紙面下方向に次第に幅狭の形状になる。
【００３３】
次いで、図７（ｈ）に表されているように、粘着部７１ａ、７１ａ、…、及び非粘着部７１ｂ、７１ｂ、…の下面側に遮光シート７３を配置し、粘着部７１ａ、７１ａ、…、及び非粘着部７１ｂ、７１ｂ、…の下面と、遮光シート７３の上面とを圧着する。そして、圧着させた遮光シート７３を端部から剥離する（図７（ｉ））。そうすると、粘着部７１ａ底面は粘着性を有しているので、遮光シート７３が貼り付いて残る一方、非粘着部７１ｂは感光により粘着性を失っているので、遮光シート７３はきれいに剥離され、底面側に残らない。非粘着部７１ｂの屈折率は感光により、粘着部７１ａの屈折率よりわずかに大となる。粘着部７１ａは、本発明の視野角制御シートの遮光部１５のうちの透明部１６となる。粘着部７１ａの下面に接着された遮光シート７３ａ、７３ａ、…は、本発明の視野角制御シートの遮光部１５のうちの光吸収層２１、２２、２３、…のいずれかとなる。かくして、遮光部１５と非遮光部１４とが面方向に交互に配置された視野角制御シートの二層目７５が、第一層６５に隣接して、その下面側に形成される（図７（ｊ））。以下同様の操作を繰り返し、層内に非遮光部、遮光部を交互に備え、遮光部の一面側に光吸収層が配された構造を複数有する本発明の視野角制御シートを得ることができる。
【００３４】
図８は、視野角制御シートを作成する方法の他の一例を示す図である。この方法においては、レンチキュラーレンズ８１の平面側底面に感光性粘着層８２を配置し（図８（ａ））、レンチキュラーレンズ８１の球面側から平行光８０を照射する（図８（ｂ））。平行光８０はレンチキュラーレンズ８１により焦点に向かい、その光路上に配置された感光性粘着層８２を所定のパターンに感光させる。この場合、感光部８２ａ、８２ａ、…及び非感光部８２ｂ、８２ｂ、…の斜面が照射される光８０の方向に対する傾きは、上記図６、７において説明したものとは逆になる。すなわち、図８（ｃ）にも表されている様に、感光部８２ａは、照射光の向かう方向側に幅狭な形状となる。レンチキュラーレンズ８１を介して平行光８０を照射された感光性粘着層８２うち、光の照射を受けた部分は感光して、非粘着部８２ａ、８２ａ、…となる。一方、感光性粘着層８２のうち平行光８０の照射を受けなかった部分は、そのまま粘着部８２ｂ、８２ｂ、…として残る。
【００３５】
次いで、感光性粘着樹脂層８２の下面側に遮光シート８３を圧着・剥離して、いまだ粘着性を有する非感光部８２ｂ、８２ｂ、…の下面側にのみ接着する。非粘着部８２ａの屈折率は感光されることにより、粘着部８２ｂの屈折率よりわずかに大となる。粘着部８２ｂは、本発明の視野角制御シートの遮光部１５のうちの透明部１６となる。粘着部８２ｂの下面に接着された遮光シート８３ａ、８３ａ、…は、本発明の視野角制御シートの遮光部１５のうちの光吸収層２１、２２、２３、…のうちのいずれかとなる。かくして、遮光部１５と非遮光部１４とが面方向に交互に配置された視野角制御シートの第一層８５が作成される（図８（ｅ））。以下、図７において説明したのと同様にして、順次第二層以下を形成してゆき、目的の視野角制御シートを得ることができる。
【００３６】
上記感光性粘着層を構成する樹脂組成物は、少なくとも（Ａ）有機重合体からなる熱粘着性の結着剤、（Ｂ）ラジカル重合性を有するエチレン性二重結合を少なくとも一つ以上有する化合物、（Ｃ）ビイミダゾール系光重合開始剤、（Ｄ）オキシラン環含有化合物、からなることが好ましい。さらに、前記（Ｃ）ビイミダゾール系光重合開始剤の成分として、一般式（１）で表される（ｃ１）ヘキサアリールビイミダゾール化合物と（ｃ２）水素供与性化合物を含むことがより好ましい。
【００３７】
【化１】
0004502938.tif 000002
（式中、Ｌ１、Ｌ２及びＬ３はそれぞれ独立にアリール基或いは、置換アリール基を表す。）
【００３８】
図９は、視野角制御シートの構成の一例を示す図である。図９に示される視野角制御シート９０は水平断面形状が垂直方向に一定な視野角制御部９２を備えている。映像源側にはベースシート９１が、観察者側にはベースシート９３が配置されている。図面では理解のためにこれら三者が離れて表されているが、実際にはこれらは貼り合わされている。
【００３９】
図１０は、本発明にかかる表示装置１００の構成を示している。図１０において、紙面手前左下方向が映像源側であり、紙面奥側右上方向を観察者側とする。本発明の表示装置１００は、映像源側から順に、液晶ディスプレイパネル１０１と、視野角制御部が垂直方向に配列された視野角制御シート１０２と、視野角制御部が水平方向に配列された視野角制御シート１０３とが積層されており、さらに観察者側にＡＲ、ＡＳ、ＡＧ、タッチセンサーのうち、少なくとも一つの機能が備えられている機能性シート１０４とを備えている。視野角制御シート１０２と視野角制御シート１０３のベースシートは図面では省略している。なお、視野角制御シート１０２と視野角制御シート１０３との配置を入れ替えてもよい。図１０においてはこれらが互いに離れて表されているが、これは図面の理解のためであり、実際にはこれらは互いに接するか、又は接着されている。
【実施例】
【００４０】
（実施例）受光面側の光吸収層の面積率５０％とし、各光吸収層の間隔を、０．００５ｍｍとして５層設けた。各層断面における光吸収層の面積率は、上記最上層を含めそれぞれ、５０％、４０％、３０％、２０％、１０％とした。半値視野角３０°、受光面側における光吸収層と、非遮光部とのピッチを０．０５ｍｍに設定した。
非遮光部の屈折率Ｎｙは、１．５６、遮光部（透明部）の屈折率Ｎｘは、１．５５であった。
【００４１】
（比較例）５０％透過率のティントシートをディスプレイの前に設置した。
【００４２】
（評価方法）
１．輝度
輝度計を使用して、上記各シートをセットした際の白黒表示での正面輝度を測定して比較した。
２．コントラスト
明室内での電源ＯＦＦ（黒表示）での、正面の輝度を測定して、測定した黒の輝度比で、コントラストを比較した。明室の照度は、１０００ルクスにセットして測定した。
（評価結果）実施例は比較例より、輝度において１．５倍、コントラストは２倍の数値を示した。
【００４３】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う表示装置もまた本発明の技術的範囲に包含されるものとして理解されなければならない。
【図面の簡単な説明】
【００４４】
【図１】本発明の表示装置に備えられる視野角制御シートの、受光面に直交する平面による断面を示す図である。
【図２】本発明の表示装置に備えられる視野角制御シートによる光の透過、遮断を示す図である。
【図３】視野角制御シートの、遮光部を拡大して示す図である。
【図４】遮光部における、隣接する２つの光吸収層を拡大して示す図である。
【図５】視野角制御シートの遮光部の斜面で反射した光が、観察者側に到達する状態を例示する断面模式図である。
【図６】本発明の表示装置に備えられる視野角制御シートを作成する方法の一例を示す図である。
【図７】図６の作成方法の次工程を示す図である。
【図８】本発明の表示装置に備えられる視野角制御シートを作成する方法の他の一例を示す図である。
【図９】視野角制御シートの構成の、他の一例を示す図である。
【図１０】本発明の表示装置の構成の一例を示す図である。
【図１１】従来の視野角制御シートの一例を示す図である。
【符号の説明】
【００４５】
Ｌ１、Ｌ２、Ｌ３、Ｌ４、Ｌ５  光
１０  視野角制御シート
１１  映像源側ベースシート
１２  視野角制御部
１３  観察者側ベースシート
１４  非遮光部
１５  遮光部
１６  透明部
２１、２２、…  光吸収層
６１、７１  感光性粘着層
８１  レンチキュラーレンズ
１００  表示装置
【図１】
0004502938.tif 000003
【図２】
0004502938.tif 000004
【図３】
0004502938.tif 000005
【図４】
0004502938.tif 000006
【図５】
0004502938.tif 000007
【図６】
0004502938.tif 000008
【図７】
0004502938.tif 000009
【図８】
0004502938.tif 000010
【図９】
0004502938.tif 000011
【図１０】
0004502938.tif 000012
【図１１】
0004502938.tif 000013